(57)【要約】【課題】位置決めやガイドのためにのみ用いられてきた従来の構成を利用して、又は、これら従来の構成とは別に新たな構成を用いることにより、コネクタ同士のガタつきを効果的に防止することができる装置を提供する。【解決手段】第一コネクタと第二コネクタの対から成るコネクタ装置である。第一コネクタと第二コネクタの嵌合時に、第一コネクタ又は第二コネクタにおいて凸条部を形成している面の、相手コネクタとの嵌合側における端部側部分と、第二コネクタ又は第一コネクタにおいて凹条部を形成している面の、相手コネクタとの嵌合側とは反対側における端部側部分とが圧接された状態で係止され、且つ、第一コネクタ又は第二コネクタにおいて凸条部を形成している面の、相手コネクタとの嵌合側とは反対側における端部側部分と、第二コネクタ又は第一コネクタにおいて凹条部を形成している面の、相手コネクタとの嵌合側における端部側部分とが圧接された状態で係止される。【選択図】図１
2018045766.tif 000002
【特許請求の範囲】
【請求項１】
第一コネクタと第二コネクタの対から成るコネクタ装置であって、前記第一コネクタと前記第二コネクタの嵌合時に、前記第一コネクタのハウジングの少なくとも一部を、前記第二コネクタのハウジングの少なくとも一部に挿入するように構成されており、
前記第一コネクタのハウジングの少なくとも一部の外壁に嵌合方向に沿って凸条部及び／又は凹条部が、これに対応して、前記第二コネクタのハウジングの少なくとも一部の内壁に前記嵌合方向に沿って凹条部及び／又は凸条部が、それぞれ設けられており、
前記第一コネクタと前記第二コネクタの嵌合時に、前記第一コネクタのハウジングの少なくとも一部の外壁に設けた凸条部及び／又は凹条部と、前記第二コネクタのハウジングの少なくとも一部の内壁に設けた凹条部及び／又は凸条部とが互いに噛み合わされ、
前記第一コネクタ又は前記第二コネクタにおいて前記凸条部を形成している面の、相手コネクタとの嵌合側における端部側部分と、前記第二コネクタ又は前記第一コネクタにおいて前記凹条部を形成している面の、相手コネクタとの嵌合側とは反対側における端部側部分とが圧接された状態で係止され、且つ、前記第一コネクタ又は前記第二コネクタにおいて前記凸条部を形成している面の、相手コネクタとの嵌合側とは反対側における端部側部分と、前記第二コネクタ又は前記第一コネクタにおいて前記凹条部を形成している面の、相手コネクタとの嵌合側における端部側部分とが圧接された状態で係止され得ることを特徴とするコネクタ装置。
【請求項２】
前記第一コネクタ又は前記第二コネクタにおいて、前記凸条部を形成している複数の面のうちの少なくとも一つの面は、相手コネクタとの嵌合側に向うにつれて、前記凸条部の前記嵌合方向に対して直交する断面が縮小するように傾斜しており、これに対応して、前記凹条部を形成している複数の面のうちの少なくとも一つの面は、相手コネクタとの嵌合側とは反対側に向うにつれて、前記凹条部の前記嵌合方向に対して直交する断面が拡大するように傾斜している請求項１に記載のコネクタ装置。
【請求項３】
前記凸条部における前記傾斜は、相手コネクタとの嵌合側とは反対側における端部側部分において、前記端部側部分よりも中心寄りの部分に比べて急勾配とされており、
前記凹条部における前記傾斜は、相手コネクタとの嵌合側とは反対側における端部側部分において、前記端部側部分よりも中心寄りの部分に比べて急勾配とされている、請求項２に記載のコネクタ装置。
【請求項４】
前記第一コネクタと前記第二コネクタのそれぞれにおいて、前記凸条部及び／又は前記凹条部は、前記第一コネクタ及び／又は前記第二コネクタの前記嵌合方向に対して直交する断面にて対向配置されている請求項１乃至３のいずれかに記載のコネクタ装置。
【請求項５】
前記第一コネクタは、前記第一コネクタのハウジングに配列された複数の端子を有し、前記凸条部及び／又は前記凹条部は、前記複数の端子のピッチ方向に沿う第一基準面と実質的に同じ面において前記複数の端子を介して対向配置されており、
前記第二コネクタは、前記第二コネクタのハウジングに配列された複数の端子を有し、前記凹条部及び／又は前記凸条部は、前記複数の端子のピッチ方向に沿う第二基準面と実質的に同じ面において前記複数の端子を介して対向配置されている、請求項４に記載のコネクタ装置。
【請求項６】
前記第一コネクタは、前記第一基準面とは異なる面に、前記凸条部及び／又は前記凹条部を有し、
前記第二コネクタは、前記第二基準面とは異なる面に、前記凸条部及び／又は前記凹条部を有する、請求項５に記載のコネクタ装置。
【請求項７】
前記第一基準面とは異なる面に設けた、前記凸条部及び／又は前記凹条部は、前記第一基準面を介して対向配置されており、
前記第二基準面とは異なる面に設けた、前記凸条部及び／又は前記凹条部は、前記第二基準面を介して対向配置されている、請求項６に記載のコネクタ装置。
【請求項８】
前記第一コネクタのハウジングの熱膨張係数と、前記第二コネクタのハウジングの熱膨張係数が、実質的に等しい請求項１乃至７のいずれかに記載のコネクタ装置。
【発明の詳細な説明】
【技術分野】
【０００１】
本発明は、コネクタ装置、特に、対のコネクタから成るコネクタ装置に関する。
【背景技術】
【０００２】
自動車、二輪車等、振動や温度が問題となる環境下で好適に使用できるコネクタ装置が所望されている。特に、コネクタ同士を嵌合させるタイプのコネクタ装置では、振動や、コネクタ間の熱膨脹係数の差異等によって、コネクタ間にガタつきが生じ、結果、これらのコネクタを通じて接続すべき接続対象、即ち、端子や光ファイバの接続信頼性を低下させてしまう。
【０００３】
従来、これらのガタつきは、特許文献１に開示されているように、一方のコネクタのハウジングにゴムパッキンなどの弾性体を装着することによって、また、特許文献２に開示されているように、コネクタ間の線（熱）膨脹係数をそれぞれ設定することによって、解決されてきた。しかしながら、これら従来の手法は、要求される接触信頼性を満足させるにはほど遠いものであった。
【先行技術文献】
【特許文献】
【０００４】
【特許文献１】特開平８−９６８７８号公報
【特許文献２】特開２００５−３４７０９４号公報
【発明の概要】
【発明が解決しようとする課題】
【０００５】
一般に、コネクタ同士を接続させるタイプのコネクタ装置では、一方のコネクタハウジングには、例えば、その外壁にリブを、他方のコネクタハウジングには、例えば、その内壁に凹嵌状の窪みを、嵌合方向に沿ってそれぞれ設け、これらをコネクタの嵌合時に互いに噛み合わせるようにして、コネクタ同士を位置決めし、また、コネクタを案内させるように構成されている。従来の装置では、これらのリブ及び窪みは、位置決めとガイドのためにのみ使用されてきた。
【０００６】
本発明は、新たに部品を設けることなく、位置決めやガイドのためにのみ使用されてきた、これら従来の構成を利用して、又は、これら従来の構成とは別に新たな構成を用いることにより、コネクタ同士のガタつきを効果的に防止することができる装置を提供することを目的とする。
【課題を解決するための手段】
【０００７】
上記の課題を解決するため、本発明の一態様によるコネクタ装置は、第一コネクタと第二コネクタの対から成るコネクタ装置であって、前記第一コネクタと前記第二コネクタの嵌合時に、前記第一コネクタのハウジングの少なくとも一部を、前記第二コネクタのハウジングの少なくとも一部に挿入するように構成されており、前記第一コネクタのハウジングの少なくとも一部の外壁に嵌合方向に沿って凸条部及び／又は凹条部が、これに対応して、前記第二コネクタのハウジングの少なくとも一部の内壁に前記嵌合方向に沿って凹条部及び／又は凸条部が、それぞれ設けられており、前記第一コネクタと前記第二コネクタの嵌合時に、前記第一コネクタのハウジングの少なくとも一部の外壁に設けた凸条部及び／又は凹条部と、前記第二コネクタのハウジングの少なくとも一部の内壁に設けた凹条部及び／又は凸条部とが互いに噛み合わされ、前記第一コネクタ又は前記第二コネクタにおいて前記凸条部を形成している面の、相手コネクタとの嵌合側における端部側部分と、前記第二コネクタ又は前記第一コネクタにおいて前記凹条部を形成している面の、相手コネクタとの嵌合側とは反対側における端部側部分とが圧接された状態で係止され、且つ、前記第一コネクタ又は前記第二コネクタにおいて前記凸条部を形成している面の、相手コネクタとの嵌合側とは反対側における端部側部分と、前記第二コネクタ又は前記第一コネクタにおいて前記凹条部を形成している面の、相手コネクタとの嵌合側における端部側部分とが圧接された状態で係止され得ることを特徴として有する。
この態様のコネクタ装置によれば、第一コネクタと第二コネクタの嵌合時に凸条部と凹条部が互いに噛み合わされることから、凸条部と凹条部を嵌合のためのガイドとして用いることができる。また、ガイドとして利用されるこれら凸条部と凹条部を第一コネクタと第二コネクタの嵌合方向に沿う両端部側の２箇所で固定することができるため、第一コネクタと第二コネクタの嵌合後にそれらの間にガタが生じるおそれを減らすことができる。
【０００８】
上記態様のコネクタ装置において、前記第一コネクタ又は前記第二コネクタにおいて、前記凸条部を形成している複数の面のうちの少なくとも一つの面は、相手コネクタとの嵌合側に向うにつれて、前記凸条部の前記嵌合方向に対して直交する断面が縮小するように傾斜しており、これに対応して、前記凹条部を形成している複数の面のうちの少なくとも一つの面は、相手コネクタとの嵌合側とは反対側に向うにつれて、前記凹条部の前記嵌合方向に対して直交する断面が拡大するように傾斜しているのが好ましい。
このような傾斜面を設けることにより、スムースに嵌合を行うことができる。また、金型を抜きやすくすることができる。
【０００９】
上記態様のコネクタ装置において、前記凸条部における前記傾斜は、相手コネクタとの嵌合側とは反対側における端部側部分において、前記端部側部分よりも中心寄りの部分に比べて急勾配とされており、前記凹条部における前記傾斜は、相手コネクタとの嵌合側とは反対側における端部側部分において、前記端部側部分よりも中心寄りの部分に比べて急勾配とされているのが好ましい。
これら急勾配の傾斜面を設けたことにより、これらの部分を当接させて、固定を行うことができる。
【００１０】
上記態様のコネクタ装置において、前記第一コネクタと前記第二コネクタのそれぞれにおいて、前記凸条部及び／又は前記凹条部は、前記第一コネクタ及び／又は前記第二コネクタの前記嵌合方向に対して直交する断面にて対向配置されているのが好ましい。
この態様のコネクタ装置によれば、より確実に固定を行うことができる。
【００１１】
上記態様のコネクタ装置において、前記第一コネクタは、前記第一コネクタのハウジングに配列された複数の端子を有し、前記凸条部及び／又は前記凹条部は、前記複数の端子のピッチ方向に沿う第一基準面と実質的に同じ面において前記複数の端子を介して対向配置されており、前記第二コネクタは、前記第二コネクタのハウジングに配列された複数の端子を有し、前記凹条部及び／又は前記凸条部は、前記複数の端子のピッチ方向に沿う第二基準面と実質的に同じ面において前記複数の端子を介して対向配置されていてもよい。
【００１２】
上記態様のコネクタ装置において、前記第一コネクタは、前記第一基準面とは異なる面に、前記凸条部及び／又は前記凹条部を有し、前記第二コネクタは、前記第二基準面とは異なる面に、前記凸条部及び／又は前記凹条部を有していてもよい。
【００１３】
上記態様のコネクタ装置において、前記第一基準面とは異なる面に設けた、前記凸条部及び／又は前記凹条部は、前記第一基準面を介して対向配置されており、前記第二基準面とは異なる面に設けた、前記凸条部及び／又は前記凹条部は、前記第二基準面を介して対向配置されていてもよい。
【００１４】
上記態様のコネクタ装置において、前記第一コネクタのハウジングの熱膨張係数と、前記第二コネクタのハウジングの熱膨張係数が、実質的に等しいのが好ましい。
この態様のコネクタ装置によれば、高温等の環境下においても、熱膨張係数の差によってコネクタ間にガタつきが生じてしまうことを防止できる。
【００１５】
本発明によれば、新たに部品を設けることなく、位置決めとガイドのためにのみ用いられていた従来から存在する構成を利用して、又は、これら従来の構成とは別に新たな構成を用いることにより、コネクタ同士のガタつきを効果的に防止することができるコネクタ装置が提供される。
【図面の簡単な説明】
【００１６】
【図１】本発明によるコネクタ装置の使用態様の一例を示す斜視図である。
【図２】雄コネクタの斜視図である。
【図３】雄コネクタの正面図である。
【図４】雌コネクタの斜視図である。
【図５】雌コネクタの正面図である。
【図６】雄コネクタと雌コネクタの嵌合前の状態を示す側面図である。
【図７】図６のＡ−Ａ線断面図である。
【図８】図７の一部部分拡大図を概念的に示した図である。
【発明を実施するための形態】
【００１７】
以下、添付図面を参照しつつ、本発明の好適な実施形態について説明する。以下においては、説明の便宜のため好適な実施形態のみを示すが、勿論、これによって本発明を限定しようとするものではない。
【００１８】
図１に、本発明による好適なコネクタ装置の使用態様の一例を斜視図で示す。ここでは特に電気ケーブルコネクタ装置を例に挙げて説明するが、本コネクタ装置１は、第一コネクタ２０と第二コネクタ７０の対から成る様々なタイプのコネクタ装置に幅広く適用することができる。例えば、本コネクタ装置１を、電気ケーブルコネクタ装置ではなく、光ケーブルコネクタ装置に適用することもできるし、ケーブルを用いないコネクタ装置に適用することもできる。図示実施例では、第一コネクタ２０として、例えば、雄コネクタを用い、第二コネクタ７０として、例えば、雌コネクタを用いている。これら雄コネクタ２０と雌コネクタ７０は、共に左右対象形状を有していてもよい。以下、左右を区別する必要がある場合には、参照番号に符号「Ａ」、「Ｂ」を付す。
【００１９】
雄コネクタ２０は、例えば、ハウジング２１のフランジ２８に設けたネジ穴２８ａにネジを通すようにしてパネル２に固定して使用することができる。一方、雌コネクタ７０は、例えば、パネル等に固定せずに自由に引き回すことが可能な状態で使用することができる。勿論、これらの使用態様に限らず、例えば、雄コネクタ２０をパネルに固定しない状態で、また、雌コネクタ７０をパネルに固定した状態で使用することもできる。
【００２０】
雄コネクタ２０と雌コネクタ７０の嵌合時には、雄コネクタ２０のハウジング２１の少なくとも一部、即ち、フランジ２８の凹陥部２８ｂから嵌合側に嵌合・抜去方向（図示矢印「α」方向）に沿って突出した筒状の前側ハウジング部２３を、雌コネクタ７０のハウジングの一部、即ち、本体ハウジング７２に挿入する。これにより、雄コネクタ２０に設けたケーブル３と、雌コネクタ７０に設けたケーブル７を、端子４、８（後述する図２、図５参照）を通じて一対一対応で接続させることができる。
【００２１】
この嵌合は、雄コネクタ２０の前側ハウジング部２３の外壁２３ａに設けたロック係止部３１と、雌コネクタ７０の本体ハウジング７２に設けたロック片８０を係止させることによりロックされる。このロック状態は、ロック片８０の端部に設けたロック操作部８１を操作することによって解除することができる。
【００２２】
前側ハウジング部２３の外壁２３ａは、ロック係止部３１に加えて、更に、ロック係止部３１を挟んで嵌合・抜去方向「α」に沿って延びる２本の外リブ２２と、側方に設けた嵌合・抜去方向「α」に沿って延びる細長の凸条部４６及び凹条部４７、４８を有する。凸条部４６は、外壁２３ａにおいて外方に向って突出した状態で、一方、凹条部４７、４８は、外壁２３ａにおいて内方に向って窪んだ状態で、それぞれ設けられている。凹条部４７、４８は、全て同じ大きさに設定されていてもよい。これに対し、一方の側に設けた凸条部４６Ａは、他方の側に設けた凸条部４６Ｂよりも、嵌合・抜去方向「α」に対して直交する断面、言い換えれば、嵌合・抜去方向「α」に対して直交する「β」方向及び「γ」方向で形成される面における断面（以下、「直交断面」という。）が大きくなるように形成されている。両者の断面の大きさを変更することにより、雄コネクタ２０の向きを決定して、嵌合時の誤挿入を防止することができる。凸条部４６Ａや凸条部４６Ｂの嵌合側には、雌コネクタ７０との嵌合を容易にするテーパー４６Ａ’、４６Ｂ’を設けるのが好ましい。
【００２３】
前側ハウジング部２３の前側に、雄コネクタ２０と雌コネクタ７０を嵌合させたときに、雌コネクタ７０の端子配列部８４（後述する図４、５）が挿入される収容空間３３が設けられている。この収容空間３３を形成している、前側ハウジング部２３の内壁２３ｂには、嵌合・抜去方向「α」に沿って延びる複数の内リブ３２が設けられている。内リブ３２を設けたことにより、振動や熱膨脹の影響を受けにくい構造となっている。内リブ３２は、収容空間３３の底面から嵌合口に向かって延びていて、嵌合・抜去方向「α」において長さの異なるものを設けることもできる（図７参照）。
【００２４】
図２及び図３に、それぞれ、雄コネクタ２０の斜視図及び正面図を示す。雄コネクタ２０は、主に、ハウジング２１と、ハウジング２１に取り付けられた複数の端子４（図３参照）を含む。端子４は、ハウジング２１に、嵌合・抜去方向「α」に沿って等ピッチで上下二列に配列するように保持されている。ハウジング２１は、フランジ２８と、フランジ２８から嵌合側（前側）に延びる前側ハウジング部２３と、嵌合側とは反対側（後側）に延びる後側ハウジング部２４を含む。後側ハウジング部２４の径は、前側ハウジング部２３の径より若干小さく設定されており、更に、後側ハウジング部２４には、フランジ２８に隣接した上下それぞれの面に帯状の陥没部２４ａが設けられている。これら陥没部２４ａを利用して、雄コネクタ２０をパネル２に対して容易に位置決めできる。
【００２５】
雄コネクタ２０において、凸条部４６や凹条部４７、４８は、雄コネクタ２０の直交断面（β−γ）にて対向配置されているのが好ましい。例えば、図示例において、凸条部４６Ａと凸条部４６Ｂは、雄コネクタ２０のハウジング２１に配列された複数の端子４のピッチ方向「β」に沿う基準面「ｋ１」、「ｋ２」と実質的に同じ面において、複数の端子４を介して対向配置されている。ここで「実質的に」とは、基準面から多少ずれていてもよいことを意味する。多少のずれは、固定にさほどの影響は与えないからである。また、図示例のように、端子が複数段（図示例では２段）に跨っている場合には、それら複数段の領域のいずれかの位置に配置されていれば足りる。更に、図示例において、凹条部４７、４８は、基準面「ｋ１」、「ｋ２」とは異なる面、例えば、基準面「ｋ１」、「ｋ２」とは異なるが基準面「ｋ１」、「ｋ２」と平行な面において、端子４の配列の両端に対向配置されている。更に、凹条部４７Ａと凹条部４８Ａ、或いは、凹条部４７Ａと凹条部４８Ａは、基準面「ｋ１」、「ｋ２」を介して対向配置されている。このように、凸条部や凹条部を、雄コネクタ２０の直交断面（β−γ）にて対向配置することにより、固定をより安定させることができる。
【００２６】
凸条部４６Ａ、４６Ｂは、各々、略平らな３つの面で形成されている。これらの面には、側面４６Ａａ、４６Ｂａ、上面４６Ａｂ、４６Ｂｂ、及び下面４６Ａｃ、４６Ｂｃが含まれる。同様に、凹条部４７Ａ、４７Ｂ、４８Ａ、４８Ｂも、各々、略平らな３つの面で形成されている。これらの面には、斜面４７Ａａ、４７Ｂａ、４８Ａａ、４８Ｂａ、上斜面４７Ａｂ、４７Ｂｂ、４８Ａｂ、４８Ｂｂ、及び下斜面４７Ａｃ、４７Ｂｃ、４８Ａｃ、４８Ｂｃが含まれる。
【００２７】
図４及び図５に、それぞれ、雌コネクタ７０の斜視図及び正面図を示す。雌コネクタ７０は、主に、ハウジングと、ハウジングに配列された複数の端子８（図５参照）を含む。
【００２８】
ハウジングは、本体ハウジング７２と、本体ハウジング７２の後側に取り付けられた後部ハウジング８２の組み合わせから成る。本体ハウジング７２には、その略中心に嵌合・抜去方向「α」に沿って嵌合側に突出した端子配列部８４が設けられている。端子８は端子配列部８４の端子挿入孔８９に、嵌合・抜去方向「α」に沿って等ピッチで上下二列に配列するように保持されている。尚、本体ハウジング７２の熱膨張係数は、雄コネクタ２０のハウジング２１の熱膨張係数と実質的に等しいのが好ましい。ここで「実質的に」とは、多少の相異があっても、ガタつきを有効に抑えることができる程度に等しければよいと言う意味である。これにより、高温等の環境下においても、熱膨張係数の差によってコネクタ間にガタつきが生じてしまうことを防止できる。但し、温度変動時に、雄コネクタ２０のハウジング２１が雌コネクタの本体ハウジング７２の側に膨張するように熱膨張係数を設定してもよい。この場合にも、ガタツキを抑えることができる。本体ハウジング７２及びハウジング２１の材料としては、ＰＰＳ（ポリフェニレンサルファイド樹脂）、ポリアミド樹脂、ポリブチレンテレフタレート樹脂その他の耐熱性を有する樹脂を用いることができる。また、温度変動時における本体ハウジングまたはハウジングの膨張、収縮する方向は、これらを成形する際における樹脂の配向を調整することによって制御できる。具体的には、断面積が相対的に大きい部分や小さい部分を設けたり、金型に対する樹脂の投入口（ゲート）の位置を調整することなどで制御できる。
【００２９】
端子配列部８４と本体ハウジング７２の内壁７２ｂとの間の隙間によって、雄コネクタ２０の前側ハウジング部２３が挿入される挿入口７４が形成されている。挿入口７４には、雄コネクタ２０と雌コネクタ７０の嵌合時に、雄コネクタ２０の前側ハウジング部２３が挿入される。また、このとき、挿入口７４から上方に膨出した収容部７８に、雄コネクタ２０の前側ハウジング部２３に設けた外リブ２２とロック係止部３１（図２等参照）が挿入される。この結果、収容部７８において、雄コネクタ２０のロック係止部３１と、雌コネクタ７０のロック係止部８０ａが係止され、雄コネクタ２０と雌コネクタ７０の嵌合がロックされる。
【００３０】
本体ハウジング８２の外壁７２ａ、例えばその底部に、補強用のリブ８３を設けてもよい。また、本体ハウジング８２の内壁７２ｂには、雄コネクタ２０の凸条部４６及び凹条部４７、４８（図３等参照）に対応して、嵌合・抜去方向「α」に沿って延びる細長の凹条部８６及び凸条部８７、８８が設けられている。凹条部８６は、内壁７２ｂにおいて外方に向って窪んだ状態で設けられており、一方、凸条部８６は、内壁７２ｂにおいて内方に向って突出した状態で設けられている。雄コネクタ２０の凸条部４６Ａ、４６Ｂに対応して、凹条部８６Ａは、凹条部８６Ｂよりも直交断面（β−γ）が大きくなるように形成されている。また、雄コネクタ２０の凹条部４７、４８に対応して、凸条部８７、８８は、全て同じ大きさに設定されている。
【００３１】
雄コネクタ２０と同様に、雌コネクタ７０において、凹状部８６及び凸条部８７、８８は、雌コネクタ７０の直交断面（β−γ）にて対向配置されているのが好ましい。例えば、図示例において、凹条部８６Ａと凹条部８６Ｂは、雌コネクタ７０の端子配列部８４に配列された複数の端子８のピッチ方向「β」に沿う基準面「ｇ１」、「ｇ２」と実質的に同じ面において、複数の端子８を介して対向配置されている。ここで「実質的に」とは、基準面から多少ずれていてもよいことを意味する。多少のずれは、固定にさほどの影響は与えないからである。また、図示例のように、端子が複数段（図示の例では２段）に跨っている場合には、それら複数段の領域のいずれかの位置に配置されていれば足りる。更に、図示例において、凸条部８７Ａと凸条部８７Ｂは、基準面「ｇ１」、「ｇ２」とは異なる面、例えば、基準面「ｇ１」、「ｇ２」とは異なるが基準面「ｇ１」、「ｇ２」と平行な面において、端子８の配列の両端に対向配置されている。更に、凸条部８７Ａと凸条部８８Ａ、或いは、凸条部８７Ａと凸条部８８Ａは、基準面「ｇ１」、「ｇ２」を介して対向配置されている。このように、凸条部や凹条部を、雌コネクタ７０の直交断面（β−γ）にて対向配置することにより、固定をより安定させることができる。
【００３２】
凹条部８６Ａ、８６Ｂは、各々、略平らな３つの面で形成されている。これらの面には、側面８６Ａａ、８６Ｂａ、上面８６Ａｂ、８６Ｂｂ、及び下面８６Ａｃ、８６Ｂｃが含まれる。同様に、凸条部８７Ａ、８７Ｂ、８８Ａ、８８Ｂも、各々、略平らな３つの面で形成されている。これらの面には、斜面８７Ａａ、８７Ｂａ、８８Ａａ、８８Ｂａ、上斜面８７Ａｂ、８７Ｂｂ、８８Ａｂ、８８Ｂｂ、及び下斜面８７Ａｃ、８７Ｂｃ、８８Ａｃ、８８Ｂｃが含まれる。
【００３３】
雄コネクタ２０と雌コネクタ７０の嵌合時には、雄コネクタ２０の前側ハウジング部２３の外壁２３ａに設けた凸条部４６及び凹条部４７、４８と、雌コネクタ２０の本体ハウジング７２の内壁７２ｂに設けた凹条部８６及び凸条部８７、８８とが、互いに噛み合わされ、従来の装置と同様に、これら凸条部と凹条部を嵌合のためのガイドとして用いることができる。本構成によれば、更に、これら凸条部と凹条部は、雄コネクタ２０と雌コネクタ７０のガタつきを防止する機能を持つ。
【００３４】
図６乃至図８を参照して、ガタつき防止のためのメカニズムを説明する。図６は、雄コネクタ２０と雌コネクタ７０の嵌合前の状態を示す側面図、図７は、図６のＡ−Ａ線断面図、図８は、図７の一部部分拡大図に相当する図である。但し、理解を容易にするため、図７については、特徴部分が誇張して示されている。従って、図８は、形状や寸法に関して、図６、図７とは完全には対応していない。尚、これら図６乃至図８は、凹状部及び凸条部のうち、凸条部４６Ｂと凹条部８６Ｂとの関係、更に詳細には、凸条部４６Ｂの側面４６Ｂａと、凹条部８６Ｂの側面８６Ｂａとの関係だけを示すものであるが、他の凸条部や凹条部については、これと同様と考えてよい。
【００３５】
図８の一部部分拡大図によく示されるように、凸条部４６Ｂの側面４６Ｂａは、相手コネクタとの嵌合側、即ち、図示矢印「α２」方向に向うにつれて、凸条部４６Ｂの直交断面（β−γ）が縮小するよう、例えば雄コネクタ２０の中央に向って傾斜している。これに対応して、凹条部８６Ｂの側面８６Ｂａは、相手コネクタとの嵌合側、即ち、図示矢印「α１」方向に向うにつれて、凹条部４６Ｂの直交断面（β−γ）が拡大するよう、例えば雌コネクタ７００の中央に向って傾斜している。これらの傾斜面を設けることにより、雄コネクタ２０と雌コネクタ７０をスムースに嵌合させることができるとともに、コネクタの製造時に金型を抜きやすくすることができる。
【００３６】
ここで、凸条部４６の側面４６Ｂａにおける傾斜は、相手コネクタとの嵌合側とは反対側の端部側部分５２において、この端部側部分５２よりも中心寄りの部分に比べて急勾配とされている。この結果、図８の（ｂ）によく示されるように、雄コネクタ２０と雌コネクタ７０を嵌合させたときに、凸条部４６の端部側部分５２と、凹条部８６の相手コネクタとの嵌合側における端部側部分９２とが圧接され、互いに押しつぶされた状態で係止されることになる。
【００３７】
また、凹条部８６の側面８６Ｂａにおける傾斜は、相手コネクタとの嵌合側とは反対側の端部側部分９１において、この端部側部分９１よりも中心寄りの部分に比べて急勾配とされている。この結果、図８の（ｂ）によく示されるように、雄コネクタ２０と雌コネクタ７０を嵌合させたときに、凹条部８６の端部側部分９１と、凸条部４６の相手コネクタとの嵌合側における端部側部分５１とが圧接され、互いに押しつぶされた状態で係止されることになる。
【００３８】
明らかなように、この構成によれば、ガイドとして利用される凸条部４６と凹条部８６を、雄コネクタ２０と雌コネクタ７０の嵌合方向に沿う両端部の２箇所で固定することができ、それらを確実に固定することができる。従って、雄コネクタ２０と雌コネクタ７０が嵌合後にそれらの間にガタが生じるおそれを減らすことができる。
【００３９】
尚、本発明は、上述した実施の形態に限定されるわけではなく、その他種々の変更が可能である。
例えば、雄コネクタ２０や雌コネクタ７０において、凸条部と凹条部を逆にしてもよい。更に言えば、雄コネクタ２０の凸条部４６を凹条部に、また、凹条部４７、４８を凸条部にし、これに対応して、雌コネクタ７０の凹条部８６を凸条部に、また、凸条部８７、８８を凹条部にしてもよい。
また、傾斜面は、凸条部や凹条部を形成している面の全てに設ける必要はなく、それらのうちの一部にのみ設けてもよい。
更に、急勾配は、凸条部や凹条部を形成している複数の面のうちの一部にのみ設けてもよいし、それらの全てに設けてもよい。
また、上の例では、圧接される部分を傾斜面によって構成しているが、必ずしも傾斜面とする必要はなく、単なる突出部としてもよい。但し、傾斜面とした場合には、嵌合をよりスムースに行うことができる。
【００４０】
本発明の更に別の態様、特徴及び効果は、本発明を実施するよう意図された最良の態様を含めて、多数の特定の実施形態及び実施例を示すだけで、以下の詳細な説明から容易に明らかとなろう。又、本発明は、他の及び異なる実施形態で構成することもでき、そしてその多数の細部は、本発明の精神及び範囲から逸脱せずに、種々の明らかな観点において変更することができる。従って、図面及び説明は、例示に過ぎず、これに限定されるものではない。
【符号の説明】
【００４１】
２０  雄コネクタ（第一コネクタ）
２１  ハウジング
２３ａ  外壁
４６  凸条部
４７  凹条部
４８  凹条部
５２  端部側部分
７０  雌コネクタ（第二コネクタ）
７２  本体ハウジング
７２ｂ  内壁
８６  凹条部
８７  凸条部
８８  凸条部
９２  端部側部分
【図１】
2018045766.tif 000003
【図２】
2018045766.tif 000004
【図３】
2018045766.tif 000005
【図４】
2018045766.tif 000006
【図５】
2018045766.tif 000007
【図６】
2018045766.tif 000008
【図７】
2018045766.tif 000009
【図８】
2018045766.tif 000010